(57)【特許請求の範囲】
【請求項１】
上面及び該上面とは反対側の下面と、前端部及び該前端部とは反対側の後端部と、第１側部及び該第１側部とは反対側の第２側部とを有するベースを含み、長手方向軸線がベースの前端部から後端部に延びる取付ブロックと、
取付ブロックの中にスライド可能に保持され、取付ブロックのベースの前端部の近傍位置にある第１端部と、該第１端部とは反対側にあって、取付ブロックのベースの後端部の近傍位置にある第２端部と、該第２端部の近傍位置にあるピボットピンとを含み、取付ブロックの長手方向軸線と略同じ方向に延びるピンと、
取付ブロックの中にスライド可能に保持され、第１端部と、第１端部の反対側にある第２端部と、スロットとを含み、長手方向軸線が、取付ブロックの長手方向軸線と直交し、前記第１端部から前記第２端部まで延びるスライディングプレートと、を含んでおり、
ピンのピボットピンは、スライディングプレートのスロットに当接し、スライディングプレートがその長手方向軸線に沿って移動すると、ピンは、取付ブロックの長手方向軸線の方向に移動するように構成され、ピンは、該ピンの第１端部が取付ブロックの中に引き込まれた位置にある後退位置と、該ピンの第１端部が取付ブロックから外方向に延在した位置にある延出位置との間で移動可能であり、
スライディングプレートのスロットは、取付ブロックの長手方向軸線及びスライディングプレートの長手方向軸線に対して斜めの向きにあるチャンネルを含んでおり、
取付ブロックは、ベースの上面から外方向に突出するペデスタル部を含んでおり、該ペデスタル部は、ベースの後端部の近傍に位置するあご部を含み、該あご部は、片持ち型プレートと、ベースの上面よりも高い位置にある平らな段部とを含んでおり、片持ち型プレートと段部は、スライディングプレートをスライド可能に収容できる大きさ及び形状のマウス部を形成する、ピンラッチ。
【請求項２】
スライディングプレートの第１端部が取付ブロックの方へ移動すると、ピンは延出位置へ移動する請求項１のピンラッチ。
【請求項３】
スライディングプレートの第１端部が取付ブロックの方へ移動すると、ピンは後退位置へ移動する請求項１のピンラッチ。
【請求項４】
片持ち型プレートは第１の複数の孔を含み、段部は第２の複数の孔を含み、片持ち型プレートの第１の複数の孔は各々が、段部の第２の複数の孔の対応する孔と同一直線上に整列され、整列された第１及び第２の複数の孔の各対の孔にピボットピンが収容される請求項１乃至３の何れかのピンラッチ。
【請求項５】
ピボットピンの各々は、スライディングプレートの移動を容易にするためのローラが取り付けられている請求項４のピンラッチ。
【請求項６】
ペデスタル部は、取付ブロックのベースの前端部の近傍位置にハブを含んでおり、該ハブは、ピンをスライド可能に収容できる大きさ及び形状のボアを含んでいる請求項５のピンラッチ。
【請求項７】
ペデスタル部のハブのボアの長手方向軸線は、取付ブロックの長手方向軸線と略同じ方向である請求項６のピンラッチ。
【請求項８】
ハブはボアの中に配置されたブッシングを含み、ピンはブッシングの中にスライド可能に収容される請求項７のピンラッチ。
【請求項９】
ピンは、該ピンの第２の端部の中に軸方向に形成された溝を含んでおり、該溝はスライディングプレートを収容できる大きさ及び形状である請求項７のピンラッチ。
【請求項１０】
ピンは、該ピンの第２端部の近傍にて、一対の孔が、ピンを横断するように同一直線上に形成され、前記一対の孔は、ピンのピボットピンを収容できる大きさ及び形状である請求項９のピンラッチ。
【請求項１１】
ピンのピボットピンはローラを含んでいる請求項１０のピンラッチ。
【請求項１２】
取付ブロックは、ベースの下面から突出する複数の脚を含んでおり、複数の脚の各々は、ピンラッチを構造体に取り付けるための締結具を収容できる孔を含んでいる請求項１１のピンラッチ。
【請求項１３】
スライディングプレートの第１端部及び第２端部は、リンクに接続することができる請求項１のピンラッチ。
【請求項１４】
複数のピンラッチの組合せであって、各ピンラッチは、
上面及び該上面とは反対側の下面と、前端部及び該前端部とは反対側の後端部と、第１側部及び該第１側部とは反対側の第２側部とを有するベースを含み、長手方向軸線がベースの前端部から後端部に延びる取付ブロックと、
取付ブロックの中にスライド可能に保持され、取付ブロックのベースの前端部の近傍位置にある第１端部と、該第１端部とは反対側にあって、取付ブロックのベースの後端部の近傍位置にある第２端部と、該第２端部の近傍位置にあるピボットピンとを含み、取付ブロックの長手方向軸線と略同じ方向に延びるピンと、
取付ブロックの中にスライド可能に保持され、第１端部と、第１端部の反対側にある第２端部と、スロットとを含み、長手方向軸線が、取付ブロックの長手方向軸線と直交し、前記第１端部から前記第２端部まで延びるスライディングプレートと、を含み、
ピンのピボットピンは、スライディングプレートのスロットに当接し、スライディングプレートがその長手方向軸線に沿って移動すると、ピンは、取付ブロックの長手方向軸線の方向に移動するように構成され、ピンは、該ピンの第１端部が取付ブロックの中に引き込まれた位置にある後退位置と、該ピンの第１端部が取付ブロックから外方向に延在した位置にある延出位置との間で移動可能であり、
複数のピンラッチの組合せは、複数のピンラッチの少なくとも１つに接続されたピンラッチアクチュエータを含んでおり、
ピンラッチアクチュエータは、リンクにより、複数のピンラッチの少なくとも１つに接続されており、
リンクの一端部は、複数のピンラッチのうちの少なくとも１つのピンラッチのスライディングプレートの第１端部及び第２端部の一方に接続されており、
リンクは、ピンラッチアクチュエータ及び複数のピンラッチの少なくとも１つに回動可能に接続されており、
複数のピンラッチのうちの少なくとも１つのピンラッチのスライディングプレートの第１端部及び第２端部の他方に接続され、複数のピンラッチの他方のピンラッチのスライディングプレートの第１端部及び第２端部の１つに接続されたベルクランクをさらに具えている、複数のピンラッチの組合せ。
【請求項１５】
複数のピンラッチの組合せであって、各ピンラッチは、
上面及び該上面とは反対側の下面と、前端部及び該前端部とは反対側の後端部と、第１側部及び該第１側部とは反対側の第２側部とを有するベースを含み、長手方向軸線がベースの前端部から後端部に延びる取付ブロックと、
取付ブロックの中にスライド可能に保持され、取付ブロックのベースの前端部の近傍位置にある第１端部と、該第１端部とは反対側にあって、取付ブロックのベースの後端部の近傍位置にある第２端部と、該第２端部の近傍位置にあるピボットピンとを含み、取付ブロックの長手方向軸線と略同じ方向に延びるピンと、
取付ブロックの中にスライド可能に保持され、第１端部と、第１端部の反対側にある第２端部と、スロットとを含み、長手方向軸線が、取付ブロックの長手方向軸線と直交し、前記第１端部から前記第２端部まで延びるスライディングプレートと、を含み、
ピンのピボットピンは、スライディングプレートのスロットに当接し、スライディングプレートがその長手方向軸線に沿って移動すると、ピンは、取付ブロックの長手方向軸線の方向に移動するように構成され、ピンは、該ピンの第１端部が取付ブロックの中に引き込まれた位置にある後退位置と、該ピンの第１端部が取付ブロックから外方向に延在した位置にある延出位置との間で移動可能であり、
複数のピンラッチの組合せは、複数のピンラッチに接続されたピンラッチアクチュエータを含んでおり、
ピンラッチアクチュエータは、複数のピンラッチの第１ピンラッチ及び第２ピンラッチに接続され、ピンラッチアクチュエータは、第１リンクにより、第１ピンラッチのスライディングプレートの第１端部に接続され、第２リンクにより、第２ピンラッチのスライディングプレートの第２端部に接続されており、
第１ピンラッチのスライディングプレートの第２端部に接続された第１ベルクランクと、第２ピンラッチのスライディングプレートの第１端部に接続された第２ベルクランクとをさらに具えている、複数のピンラッチの組合せ。
【請求項１６】
複数のピンラッチは、第３ピンラッチと第４ピンラッチとを含んでおり、第１ベルクランクは、第３ピンラッチのスライディングプレートの第１端部に接続され、第２ベルクランクは、第４ピンラッチのスライディングプレートの第２端部に接続されている請求項１５の組合せ。
【請求項１７】
複数のピンラッチは、第５ピンラッチと第６ピンラッチとを含んでおり、第３ピンラッチは第３リンクにより第５ピンラッチに接続され、第４ピンラッチは第４リンクにより第６ピンラッチに接続されている請求項１６の組合せ。
【請求項１８】
第３リンクの一方の端部は、第３ピンラッチのスライディングプレートの第２端部に接続され、第３リンクの反対側端部は、第４ピンラッチのスライディングプレートの第１端部に接続され、第４リンクの一方の端部は、第４ピンラッチのスライディングプレートの第１端部に接続され、第４リンクの反対側端部は、第６ピンラッチのスライディングプレートの第２端部に接続されている請求項１７の組合せ。
【請求項１９】
ピンラッチアクチュエータは、複数のピンラッチのピンの各々を、その後退位置と延出位置との間で同時に作動させる請求項１８の組合せ。
【請求項２０】
複数のピンラッチを同時に作動させるハンドルを含んでいる請求項１９の組合せ。
【請求項２１】
前記スライディングプレートの第１端部の各々が、第１、第３及び第５ピンラッチの各々の対応する取付ブロックの方へ移動すると、第１、第３及び第５ピンラッチの対応するピンの各々がその延出位置に移動し、前記スライディングプレートの第２端部の各々が、第２、第４及び第６ピンラッチの各々の対応する取付ブロックの方へ移動すると、第２、第４及び第６ピンラッチの対応するピンの各々がその延出位置に移動する請求項１９の組合せ。
【請求項２２】
複数のピンラッチの組合せであって、各ピンラッチは、
上面及び該上面とは反対側の下面と、前端部及び該前端部とは反対側の後端部と、第１側部及び該第１側部とは反対側の第２側部とを有するベースを含み、長手方向軸線がベースの前端部から後端部に延びる取付ブロックと、
取付ブロックの中にスライド可能に保持され、取付ブロックのベースの前端部の近傍位置にある第１端部と、該第１端部とは反対側にあって、取付ブロックのベースの後端部の近傍位置にある第２端部と、該第２端部の近傍位置にあるピボットピンとを含み、取付ブロックの長手方向軸線と略同じ方向に延びるピンと、
取付ブロックの中にスライド可能に保持され、第１端部と、第１端部の反対側にある第２端部と、スロットとを含み、長手方向軸線が、取付ブロックの長手方向軸線と直交し、前記第１端部から前記第２端部まで延びるスライディングプレートと、を含み、
ピンのピボットピンは、スライディングプレートのスロットに当接し、スライディングプレートがその長手方向軸線に沿って移動すると、ピンは、取付ブロックの長手方向軸線の方向に移動するように構成され、ピンは、該ピンの第１端部が取付ブロックの中に引き込まれた位置にある後退位置と、該ピンの第１端部が取付ブロックから外方向に延在した位置にある延出位置との間で移動可能であり、
複数のピンラッチの組合せは、複数のピンラッチに接続されたピンラッチアクチュエータを含んでおり、
ピンラッチアクチュエータは、複数のピンラッチの第１ピンラッチ及び第２ピンラッチに接続され、ピンラッチアクチュエータは、第１リンクにより、第１ピンラッチのスライディングプレートの第１端部に接続され、第２リンクにより、第２ピンラッチのスライディングプレートの第２端部に接続されており、
複数のピンラッチは、第３ピンラッチと第４ピンラッチとを含んでおり、第１ピンラッチのスライディングプレートの第２端部は、第３リンクにより、第３ピンラッチの第１端部に接続され、第２ピンラッチのスライディングプレートの第１端部は、第４リンクにより、第４ピンラッチのスライディングプレートの第２端部に接続されている、複数のピンラッチの組合せ。
【請求項２３】
複数のピンラッチは、第５ピンラッチと第６ピンラッチとを含んでおり、第３ピンラッチは第５リンクにより第５ピンラッチに接続され、第４ピンラッチは第６リンクにより第６ピンラッチに接続されている請求項２２の組合せ。
【発明の詳細な説明】
【技術分野】
【０００１】
＜関連出願の記載＞
この出願は、2010年2月9日に出願した米国仮特許出願第61/337,615号、発明の名称「側部駆動型ピンラッチ」に関するもので、その全体が引用を以て本明細書に組み込まれるものとする。
＜発明の技術分野＞
本発明は、ピンラッチに関し、より具体的には、側部駆動型(side-driven  action)のピンラッチに関する。
【背景技術】
【０００２】
航空機の乗客用キャビン等の空間に通じるアクセスドアには、複数のピンラッチが用いられている。マルチプルピンラッチは、これらのドアを、特にストレスの多い環境下でロック位置に固定しなければならない。ドアは速やかにロック解除される必要があるため、
マルチプルピンラッチに用いられるピンは、ドアの中の中央に配置されたピンラッチアクチュエータに接続された外部ハンドルが回転すると、同時に、ドアフレームから引き込まれなければならない。
【発明の概要】
【０００３】
一実施例において、ピンラッチは、取付ブロックを含んでおり、該取付ブロックは、上面と、該上面とは反対側の下面と、前端部と、該前端部とは反対側の後端部と、第１側部と、該第１側部とは反対側の第２側部とを有するベースを含み、その長手方向軸線は、ベースの前端部から後端部に延びている。一実施例において、ピンラッチは、取付ブロックの中に摺動可能に保持されるピンを含んでおり、該ピンは、取付ブロックのベースの前端部の近傍位置にある第１端部と、該第１端部とは反対側にあって、取付ブロックのベースの後端部の近傍位置にある第２端部と、該第２端部の近傍位置にあるピボットピンとを含んでおり、ピンは、取付ブロックの長軸線と略同じ方向に延びている。一実施例において、ピンラッチは、取付ブロックの中にスライド可能に保持されたスライディングプレートを含んでおり、該スライディングプレートは、第１端部と、第１端部の反対側にある第２端部と、スロットとを含み、長軸線が、取付ブロックの長軸線と直交して、第１端部から第２端部まで延びている。
【０００４】
一実施例において、ピンのピボットピンは、スライディングプレートのスロットに当接し、スライディングプレートがその長軸線に沿って移動すると、ピンは、取付ブロックの長軸線の方向に移動する。一実施例において、ピンは、第１端部が取付ブロックの中に引き込まれた位置にある後退位置と、第１端部が取付ブロックから外方向に延在した位置にある延出位置との間で移動可能である。
【０００５】
一実施例において、複数のピンラッチは、リンク(例えば、ロッド)により、並べられた状態(side-by-side)及び／又はコーナ部の周りで鎖状に繋いだ状態(daisy-chain)で互いに直列接続される。ピンラッチは側部駆動型であるため、一実施例において、リンクは、ピンラッチの隣接するプレートを相互接続する。一実施例において、ピンラッチアクチュエータから延びる１つのリンクがプレートの１つに接続されているので、アクチュエータは、全てのピンラッチのピンを同時に作動(後退又は延出)させることができる。一実施例において、４つよりも多くのピンラッチをアクチュエータにより同時に作動させることができる。一実施例において、アクチュエータはピンラッチの中央部に位置していなくてもよい。
【図面の簡単な説明】
【０００６】
本発明のより完全な理解のために、例示的実施例について、添付の図面を参照して以下に詳細に説明する。
【０００７】
【図１】本発明の一実施例に基づいて作られた側部駆動型ピンラッチの上面斜視図であり、ピンラッチに用いられる取付ブロックは明瞭化のために透視されている。
【０００８】
【図２】図１に示されるピンラッチの上面斜視図であり、ピンラッチに用いられるプレートが取付ブロックの第１側部から延出し、ピンラッチに用いられるピンが取付ブロックの中に後退している状態を示している。
【０００９】
【図３】図１に示されるピンラッチの上面斜視図であり、プレートが取付ブロックの第２側部から延出し、ピンが取付ブロックから延出した状態を示している。
【００１０】
【図４】本発明の側部駆動型ピンラッチの他の実施例の上面斜視図である。
【００１１】
【図５】図１及び図４に示されたピンラッチがリンク・チェーンによって接続されたピンラッチアクチュエータを含むピンラッチシステムの上面斜視図である。
【００１２】
【図６】図５に示されるピンラッチシステムの上面斜視図であって、ピンラッチのピンが後退位置にあるときの状態を示している。
【発明を実施するための形態】
【００１３】
図１乃至図３は、本発明の一実施例に基づいて作製された側部駆動型(side-driven  action)ピンラッチ(10)を示している。一実施例において、ピンラッチ(10)は、取付ブロック(12)と、該取付ブロック(12)内で摺動可能に保持されたピン(14)と、前記取付ブロック(12)内で摺動可能に保持されたスライディングプレート(16)とを含んでいる。一実施例において、取付ブロック(12)は、上面(20)及び下面(22)を有するベース(18)を含んでいる。一実施例において、ベース(18)の上面からペデスタル部(pedestal)(24)が外方向に突出し、ベース(18)の下面から複数の脚(26)が外向きに突出している。一実施例において、複数の脚(26)の各々には、例えばドア、アクセスパネル、又は他のあらゆる適当な外部表面又は構造体(図示せず)に取付ブロック(12)を取り付けるための取付ボルト又は他の適当な締結具(図示せず)を収容する孔(28)が配置されている。一実施例において、ベース(18)は、前端部(30)及び後端部(32)と、第１側部(34)及び第２側部(36)とをさらに含んでいる。一実施例において、取付ブロック(12)は、アルミニウムから作られることができる。他の実施例において、取付ブロック(12)は、当該分野で公知の他の適当な材料から作られることができる。
【００１４】
図１乃至図３をさらに参照すると、一実施例において、取付ブロック(12)のペデスタル部(24)は、ベース(18)の後端部(32)の近傍に位置するあご部(38)と、ベース(18)の前端部の近傍に位置するハブ(40)とを含んでいる。一実施例において、あご部(38)は、平らな片持ち型プレート(cantilevered-plate)(42)と、ベース(18)の上面(20)よりも高い位置にある平らな段部(44)とを含んでいる。一実施例において、片持ち型プレート(42)の平面は、段部(44)の平面と平行であり、これによって、Ｕ字状のマウス部(46)が形成される。一実施例において、ベース(18)の後端部(32)に隣接するマウス部(46)は一部が開口しており、同様に、ベース(18)の第１側部(34)及び第２側部(36)に隣接するマウス部(46)の両側部も開口している。一実施例において、複数の孔(48)が片持ち型プレート(42)の中に形成され、孔(48)の軸線は、片持ち型プレート(42)の平面と垂直な方向である。一実施例において、複数の孔(50)が段部(44)の中に形成され、孔(50)の軸線は、段部(44)の平面と垂直な方向である。一実施例において、片持ち型プレート(42)の孔(48)の軸線の各々は、段部(44)の孔(50)の軸線の１つと一致している(即ち、対向する孔(48)(50)の対応する各孔は同一線上にある)。
一実施例において、ピボットピン(52)が、同一直線上にある孔(48)(50)の中に固定して取り付けられる。幾つかの実施例において、ピボットピン(52)は、リベット留め、プレス嵌合、接着、溶接、その他当該分野で公知の適当な手段により、孔(48)(50)の中で固定される。一実施例において、ローラ(54)が、ピボットピン(52)に配置され、該ローラ(54)は、後記する目的のために、ピボットピン(52)の周りで回転自由な大きさ及び形状に作られる。一実施例において、ピボットピン(52)とローラ(54)は、当該分野で公知の他の適当な材料から作ることができる。
【００１５】
図１乃至図３をさらに参照すると、一実施例において、ハブ(40)は、長手方向軸線Ａ−Ａを有し、取付ブロック(12)の長手方向軸線と同じ方向に延びるボア(58)を含んでいる。片持ち型プレート(42)及び段部(44)には夫々、半円形凹部(60)(62)が形成され、これら凹部の長手方向軸線は、ボア(58)の長手方向軸線Ａ−Ａに一致しており、ボア(58)の対応する半円形部と同じ大きさ及び形状である。一実施例において、ハブ(40)のボア(58)には、ブッシング(64)が配備され、プレス嵌合又は当該分野で公知の他の適当な手段(例えば、接着又は溶接)により固定されている。幾つかの実施例において、ブッシング(64)は、黄銅、青銅又は当該分野で公知の他の適当な材料から作られる。一実施例において、ピンラッチ(10)はブッシング(64)を含む必要はない。
【００１６】
図１乃至図３をさらに参照すると、一実施例において、取付ブロック(12)には、ピン(14)とプレート(16)が格納される。一実施例において、ピン(14)は、ベース(18)の前端部(30)の近傍位置にある第１端部(66)と、ベース(18)の後端部(32)の近傍位置にある第２端部(68)とを含んでいる。一実施例において、ピン(14)は、その軸線がボア(58)の軸線Ａ−Ａと一致するように、ボア(58)のブッシング(64)の中に配置される。一実施例において、ピン(14)は、ブッシング(64)内の軸線Ａ−Ａに沿って自由にスライドできる大きさ及び形状である。一実施例において、ブッシング(64)は、ピン(14)が取付ブロック(12)のボア(58)内を直接スライドしたときに生じる金属摩擦摩耗を減少させる。一実施例において、ピン(14)の第２端部には、溝(70)が、ピン(14)の中に軸方向に形成される。一実施例において、ピン(14)の第２端部(68)の近傍位置に、一対の孔(72)が同一直線上に形成され、孔(72)はピン(14)を横断する。一実施例において、孔(72)の中には、ピボットピン(74)が収容される。一実施例において、ピボットピン(74)は、リベット留め、プレス嵌合、接着、溶接、その他当該分野で公知の適当な手段により、孔(72)の中で固定される。一実施例において、ピボットピン(74)にローラ(76)が配置され、該ローラ(76)は、溝(70)の中に嵌まる大きさ及び形状であり、ピボットピン(74)の周りで回転自由である。一実施例において、ピボットピン(74)、プレート(16)及びローラ(76)は、ステンレス鋼から作られる。他の実施例において、ピボットピン(74)、プレート(16)及びローラ(76)は、他の適当な材料から作られる。一実施例において、片持ち型プレート(42)及び段部(44)の凹状の半円形部(60)(62)の前述した位置、大きさ及び形状は、ピン(14)がボア(58)の長手方向軸線Ａ−Ａ方向を移動する間、ピン(14)と、片持ち型プレート(42)及び段部(44)との間で金属接触が生じないようにしている。
【００１７】
図１乃至図３をさらに参照すると、一実施例において、プレート(16)は、第１端部(78)と第２端部(80)を含んでいる。一実施例において、プレート(16)の第１端部(78)及び第２端部(80)には、リンクをプレート(16)に締結するための孔(82)が形成され、これについては後でより詳しく説明する(図５及び図６を参照)。他の実施例において、必ずしも孔(82)を含む必要はなく、プレート(16)の第１端部(78)及び第２端部(80)は、リンクに取り付けるための他の取付手段を含むこともできる。一実施例において、プレート(16)は、チャンネル(86)を有するスロット(84)を含んでいる。一実施例において、チャンネル(86)は、プレート(16)の長手方向軸線Ｂ−Ｂ及びボア(58)の長手方向軸線Ａ−Ａ、即ちピン(14)の長軸に対して斜めに形成されている。一実施例において、ピン(14)の溝(70)はプレート(16)の一部を収容できる大きさ及び形状である。一実施例において、プレート(16)の厚さは、[ａ]  ピン(14)のローラ(76)の高さよりも小さく、かつ、[ｂ]  ピン(14)の溝(70)の幅よりも小さく、これによって、ローラ(76)は、プレート(16)のスロット(84)の中に入ることができる。一実施例において、ピン(16)のスライド移動は、あご部(38)のマウス部(46)に配置されたローラ(54)によって促進され、プレート(16)は、ボア(58)の長手方向軸線Ａ−Ａと直交する向きにある長手方向軸線Ｂ−Ｂに沿ってスライドする。
【００１８】
一実施例において、ピン(14)のローラ(76)はプレート(16)のスロット(84)に拘束されてスロット(84)の中で転動するので、プレート(16)が長軸線Ｂ−Ｂに沿う方向にスライド移動すると、ローラ(76)とピン(14)は、ボア(58)の長軸線Ａ−Ａの方向に移動する。図３を参照すると、一実施例において、プレート(16)の第１端部(78)がベース(18)の第１側部(34)の方へ距離Ｄ１を移動すると、ピン(14)は、ベース(18)の前側部(30)から離れる方向に距離Ｄ２を移動する。即ち、ピン(14)は取付ブロック(12)のボア(58)の外側へ突出する(即ち、延出する)。
【００１９】
図４は、本発明の他の実施例を示している。図４に示される要素について、図１乃至図３に示された実施例に関して記載した要素と同一又は実質的に同じ要素は、同じ引用番号に１００を加えた番号を付している。特に記載しない限り、図４に示された実施例は、図１乃至図３に示された実施例と同じ要領で構築され、組み立てられる。
【００２０】
図４を参照すると、一実施例において、側部駆動型ピンラッチ(110)は、取付ブロック(112)を含んでおり、該取付ブロックの中にピン(114)とスライディングプレート(116)がスライド可能に保持される。一実施例において、プレート(116)は、第１端部(178)及び第２端部(180)と、第１端部(178)及び第２端部(180)に形成されてリンクを締結するための孔(182)を含んでおり、これについては後で詳しく説明する(図５及び図６参照)。一実施例において、プレート(116)は、チャンネル(186)を有するスロット(184)を含み、前記チャンネル(186)は、プレート(116)の長軸に対して斜めに形成されている。一実施例において、プレート(116)の第１端部(178)が取付ブロック(112)の方へ移動すると、ピン(114)は取付ブロック(112)の方向に移動する。即ち、ピン(114)は取付ブロック(112)の中に引き込まれる。
【００２１】
一実施例において、図５は、ピンラッチシステム(210)を示しており、該システムは、３つのピンラッチ(10)がチェーンＣ１を構成し、３つのピンラッチ(110)がチェーンＣ２を構成する。ピンラッチ(10)(110)のピン(14)(114)の位置は全て延出した状態が示されている。一実施例において、システム(210)は、ピンラッチアクチュエータ(290)と該ピンラッチアクチュエータに取り付けられたハンドル(292)を含んでおり、ピンラッチアクチュエータ(290)からリンクＬ１とＬ３が反対方向に延びている。一実施例において、３つのピンラッチ(10)が位置１、位置２及び位置３に配置され、位置１と位置２の間には、可動アームＡ１、Ａ２を有するベルクランク(294)が配置される。一実施例において、チェーンＣ１の要素は、次の要領にて連続的に連結されている。[ａ]  リンクＬ１の一端部は、位置１にあるピンラッチ(10)のプレート(16)の第１端部(78)に回動可能に接続され、[ｂ]  位置１にあるピンラッチ(10)のプレート(16)の第２端部(80)は、位置１と位置２の間にあるベルクランク(294)のアームＡ１の一端部に回動可能に接続され、[ｃ]  アームＡ２の一端部は、位置２にあるピンラッチ(10)のプレート(16)の第１端部(78)に回動可能に接続され、[ｄ]  リンクＬ２の一端部は、位置２にあるピンラッチ(10)のプレート(16)の第２端部(80)に回動可能に接続され、リンクＬ２の反対側端部は、位置３にあるピンラッチ(10)のプレート(16)の第１端部(78)に回動可能に接続されている。
【００２２】
一実施例において、図５をさらに参照すると、チェーンＣ２は、位置４、位置５及び位置６に３つのピンラッチ(110)が配列され、位置４及び位置５の間にある可動アームＡ３及びＡ４を有するベルクランク(296)を含んでいる。一実施例において、チェーンＣ２の要素は、次の要領にて連続的に連結されている。[ａ]  リンクＬ３の一端部は、位置４にあるピンラッチ(110)のプレート(116)の第２端部(180)に回動可能に接続され、[ｂ]  位置４にあるピンラッチ(110)のプレート(116)の第１端部(178)は、位置４と位置５の間にあるベルクランク(296)のアームＡ３の一端部に回動可能に接続され、[ｃ]  アームＡ４の一端部は、位置５にあるピンラッチ(110)のプレート(116)の第２端部(180)に回動可能に接続され、[ｄ]  リンクＬ４の一端部は、位置５にあるピンラッチ(110)のプレート(116)の第１端部(178)に回動可能に接続され、リンクＬ４の反対側端部は、位置６にあるピンラッチ(110)のプレート(116)の第２端部(180)に回動可能に接続されている。
【００２３】
図５及び図６を参照すると、一実施例において、使用者がハンドルを、図５に示される位置から、矢印Ｈの方向に向けて、図６に示される位置まで回転させると、ピンラッチアクチュエータ(290)はリンクＬ１、Ｌ３を後退させる。一実施例において、チェーンＣ１、Ｃ２は次に、リンクＬ１、Ｌ３の移動を、ピンラッチ(10)(110)の側部駆動型のプレート(16)(116)に伝達する。一実施例において、プレート(16)(116)の側部駆動作用により、システム(210)のピン(14)(114)が全て後退する。
【００２４】
一実施例において、ピンラッチ(10)(110)は側部駆動型(side-driven  action)であるため、ピンラッチ(10)(110)の隣接プレート(16)(116)は、連続的に又はチェーン列に相互接続される。このようにして、一実施例において、５以上のピンラッチ(10)(及び／又はピンラッチ(110))が、ピンラッチアクチュエータによって同時に作動されることになる。また、一実施例において、ピンラッチアクチュエータ(290)は、ピンラッチ(10)(110)の中央位置にある必要はない。一又は２以上の他の実施例において、システム(210)には、４又は３以下のピンラッチ(10)(及び／又はピンラッチ(110))を使用し、作動させることができる。
【００２５】
本発明は、多くの変形又は変更が可能であることは留意されるべきである。例えば、一実施例において、システム(210)は、ピンラッチ(10)(110)について、他の多くの変更、組合せ、個数及び／又は形態が可能である。一実施例において、リンクＬ１−Ｌ４は、システム(210)内でのピンラッチ(10)(110)の位置決めを容易にするためにターンバックルを含むこともできる。また、コーナ部で屈曲するリンクＬ１−Ｌ４を用いることにより(例えば、適当サイズのスロットルケーブルリンクを用いることにより)、ベルクランク(294)(296)のシステム(210)での使用を省略することができる。一実施例において、ピンラッチ(10)(110)は、例えば、航空機の機体、エンジン室等のドア及びアクセスパネルに用いられることができる。他の実施例において、ピンラッチ(10)(110)は、他の適当な環境及び他の構造体に用いることができる。
【００２６】
ここに記載した実施例は単なる例示であって、当該分野の専門家であれば発明の精神及び範囲から逸脱することなく、変更及び変形をなし得るであろう。そのような変更及び変形は全て特許請求の範囲に規定された発明の範囲内に含まれることが意図される。
【図１】
0005607762.tif 000002
【図２】
0005607762.tif 000003
【図３】
0005607762.tif 000004
【図４】
0005607762.tif 000005
【図５】
0005607762.tif 000006
【図６】
0005607762.tif 000007